(57)【要約】【課題】データ取得方法は、サーバ１０の編集用プログラムなどを用いて作成された書込みデータを、サーバ１０からデータ端末２０のディスクドライブ２４に書き込むオーサリング機能に適用できる。【解決手段】サーバ１０は、データ端末２０に対して、インターネットＩＮＴを介して編集用データおよび編集プログラムを提供するとともに、データ端末２０へのアクセスにより、そのディスクドライブ２４の仕様またはディスクドライブ２４に装填されているデータ保存用ディスク２５の種類を取得する。サーバ１０は、データ端末２０から編集済みデータをデータ端末２０から受信したときに、編集済みデータを複数の書込みデータ規格から選択して書込みデータに変換してディスクドライブ２４のデータ保存用ディスク２５に書き込む。【選択図】図２
2012128711.tif 000002
【特許請求の範囲】
【請求項１】
ディスクドライブに接続されたデータ端末に、サーバからインターネットを介してアクセスすることで上記ディスクドライブのデータを取得するデータ取得方法において、
上記サーバが、上記データ端末にアクセスすることで、該データ端末のディスクドライブの仕様またはディスクドライブに装填されているデータ保存用ディスクの種類の少なくとも一方を取得する、ディスクドライブのデータ取得方法。
【請求項２】
請求項１に記載のディスクドライブのデータ取得方法を用いたデータディスクの作成方法であって、
サーバに保存されている編集用データと、編集用データを用いて編集済みデータを作成するための編集プログラムと、編集済みデータを複数の書込みデータ規格から選択して書込みデータに変換して、インターネットを介してデータ端末のディスクドライブのデータ保存用ディスクに書き込むための書込みプログラムと、を用いて、
上記データ端末が、サーバにアクセスすることにより、サーバに保存されている編集用データおよび編集プログラムをダウンロードして、編集用データおよび該データ端末に保存されているデータに基づいて、編集済みデータを作成してサーバに送る処理と、
上記サーバが、データ端末にアクセスすることでデータ端末のディスクドライブの仕様およびディスクドライブに装填されているデータ保存用ディスクの種類の少なくとも一方を取得する処理と、
サーバが、編集済みデータ、ディスクドライブの仕様およびデータ保存用ディスクの種類に基づいて書込みデータ規格を選択してデータ保存用ディスクへの書込みデータを作成し、データ端末およびディスクドライブを介して上記データ保存用ディスクに書込みデータを書き込む処理と、
を備えているデータディスクの作成方法。
【請求項３】
請求項１に記載のディスクドライブのデータ取得方法を用い、データ保存用ディスクへデータの書込み可能であるディスクドライブおよびインターネットのデータを閲覧するブラウザを有するデータ端末に対して、インターネットを介して上記ブラウザを介してディスクドライブへのデータの書込み行うデータディスクの作成システムであって、
ブラウザからのアクセスにより、サーバに保存されている編集用データおよび編集プログラムをデータ端末に提供する処理と、
データ端末へのアクセスにより、該データ端末のディスクドライブの仕様またはディスクドライブに装填されているデータ保存用ディスクの種類の少なくとも一方を取得する処理と、
編集用データおよび編集プログラムを用いて編集された編集済みデータがデータ端末から送信されたときに、編集済みデータを複数の書込みデータ規格から選択して書込みデータに変換してディスクドライブのデータ保存用ディスクに書き込むための書込み処理と、
を備えているデータディスクの作成システム。
【発明の詳細な説明】
【技術分野】
【０００１】
本発明は、ディスクドライブに接続されたデータ端末に、サーバからアクセスすることでディスクドライブのデータを取得する方法およびデータディスクの作成システムに関する。
【背景技術】
【０００２】
現在、ユーザ所有の音楽データから音楽ＣＤ（Compact Disc）を作成し、または写真データや動画データからＤＶＤ（Digital Versatile Disc）、ブルーレイディスク（Blu-ray Disc）を作成するために、オーサリング機能、ライティング機能を有するアプリケーションソフトウエアをインストールし、これらの各種のメニューにしたがって編集し、書込みデータを作成する必要があった。また、データ端末側の作業者は、作成した書込みデータを、データ端末に接続されるディスクドライブや、データ保存用ディスクの多様な規格、つまり、圧縮方式（動画、音声）などの規格を選択してディスクに保存する必要がある。このため、作業者は、データの編集や保存するための書込みデータ規格を選択するのに、特別の知識が必要となり、作業が面倒であるという問題があった。
【先行技術文献】
【特許文献】
【０００３】
【特許文献１】特開２００９−１６９８１０号公報
【発明の概要】
【発明が解決しようとする課題】
【０００４】
本発明は、上記従来の技術の問題点を解決することを踏まえ、サーバの編集用プログラムなどを用いて作成された書込みデータを、サーバからデータ端末のディスクドライブへの書込みに利用できるディスクドライブのデータ取得方法およびデータディスクの作成システムを提供することを目的とする。
【課題を解決するための手段】
【０００５】
本発明は、上述の課題の少なくとも一部を解決するためになされたものであり、以下の形態または適用例として実現することが可能である。
【０００６】
［適用例１］
適用例１は、ディスクドライブに接続されたデータ端末に、サーバからインターネットを介してアクセスすることで上記ディスクドライブのデータを取得するデータ取得方法において、
上記サーバが、上記データ端末にアクセスすることで、該データ端末のディスクドライブの仕様またはディスクドライブに装填されているデータ保存用ディスクの種類の少なくとも一方を取得する、ディスクドライブのデータ取得方法である。
【０００７】
サーバは、インターネットを介してデータ端末にアクセスすることでデータ端末のディスクドライブの仕様またはディスクドライブに装填されているデータ保存用ディスクの種類の少なくとも一方を取得する。このようなデータを取得したサーバは、該サーバから送られるデータを、データ端末に接続されたディスクに書き込むことができる。したがって、データ端末を扱うユーザは、ディスクドライブやディスクに関する特別の知識がなくても、サーバから送られるデータを書き込んだデータ保存用ディスクを得ることができる。
【０００８】
［適用例２］
適用例２は、ディスクドライブのデータ取得方法を用いたデータディスクの作成方法であって、
サーバに保存されている編集用データと、編集用データを用いて編集済みデータを作成するための編集プログラムと、編集済みデータを複数の書込みデータ規格から選択して書込みデータに変換して、インターネットを介してデータ端末のディスクドライブのデータ保存用ディスクに書き込むための書込みプログラムと、を用いて、
上記データ端末が、サーバにアクセスすることにより、サーバに保存されている編集用データおよび編集プログラムをダウンロードして、編集用データおよび該データ端末に保存されているデータに基づいて、編集済みデータを作成してサーバに送る処理と、
上記サーバが、データ端末にアクセスすることでデータ端末のディスクドライブの仕様およびディスクドライブに装填されているデータ保存用ディスクの種類の少なくとも一方を取得する処理と、
サーバが、編集済みデータ、ディスクドライブの仕様およびデータ保存用ディスクの種類に基づいて書込みデータ規格を選択してデータ保存用ディスクへの書込みデータを作成し、データ端末およびディスクドライブを介して上記データ保存用ディスクに書込みデータを書き込む処理と、
を備えているデータディスクの作成方法である。
【０００９】
適用例２において、ディスクドライブのデータ取得方法により得られたデータ、つまり、データ端末のディスクドライブの仕様またはディスクドライブに装填されているデータ保存用ディスクの種類の少なくとも一方を用いて、サーバのオーサリング機能を利用し、さらにデータ保存用ディスクへのデータの書込みなどの一連の処理を行うことができる。すなわち、データ端末を扱うユーザは、サーバへアクセスすることにより、サーバに保存されている編集用データおよび編集プログラムをダウンロードして、編集用データおよびデータ端末のデータに基づいて、編集済みデータを作成してサーバに送る。サーバは、データ端末にアクセスすることでデータ端末のディスクドライブの仕様およびディスクドライブに装填されているデータ保存用ディスクの種類を取得し、さらに、データ端末から受け取った編集済みデータに基づいて、書込みデータ規格を選択して書込みデータを作成し、データ端末のデータ保存用ディスクに書き込む。したがって、サーバは、ディスクドライブの仕様およびデータ保存用ディスクの種類に応じて、書込みデータ規格を選択して、書込みデータを作成してデータ保存用ディスクに書き込むから、データ端末側の作業者は、保存するための書込みデータ規格を選択する必要がなく、特別の知識なしに、編集したデータを適切な規格で保存したデータ保存用ディスクを得ることができる。
【００１０】
［適用例３］
適用例３は、適用例１，２において、ディスクドライブのデータ取得システムおよびデータディスクの作成システムに関する。
【図面の簡単な説明】
【００１１】
【図１】本発明の一実施例にかかるオーサリングシステムを説明する説明図である。
【図２】オーサリング処理時にサーバとデータ端末とのデータの送受信を説明する説明図である。
【図３】データ端末の表示装置に表示される編集画面を説明する説明図である。
【図４】ドライブ情報の取得処理を説明するフローチャートである。
【図５】データ保存用ディスクの確認処理を説明するフローチャートである。
【図６】書込みデータ規格の設定処理を説明するフローチャートである。
【図７】ディスク容量の確認処理を説明するフローチャートである。
【発明を実施するための形態】
【００１２】
（１）オーサリングシステムの概略構成
本発明の一実施例にかかるディスクドライブのデータ取得方法を用いたオーサリングシステムについて説明する。図１はオーサリングシステムを説明する説明図である。オーサリングシステムは、各種データおよびプログラムを保存しているサーバ１０と、インターネットＩＮＴを介して接続されたデータ端末２０とを備えている。データ端末２０は、通常のコンピュータなどの端末本体２２と、端末本体２２により制御される表示装置２３と、端末本体２２からのデータを保存するためのディスクドライブ２４とを備えている。ディスクドライブ２４は、データ保存用ディスク２５にデータを読み書き可能な記録装置である。端末本体２２には、オペレーティングシステム（Operating System: ＯＳ）としてＷｉｎｄｏｗｓ（登録商標）がインストールされ、また、インターネットＩＮＴを通じてサーバ１０のデータを閲覧するためのブラウザがインストールされている。データ端末２０は、インターネットＩＮＴを介してサーバ１０にアクセスすることで、サーバ１０から提供されるプログラムおよび編集用データによりオーサリング機能を利用することができる。
【００１３】
ここで、オーサリング機能は、文字や画像、音声、動画などのマルチメディアの要素を編集・統合して、１つのタイトルとしてまとめた編集済みデータを作成する処理である。こうしたオーサリング機能を実現するために、サーバ１０のストレージ装置１２には、文字、画像、動画などの編集用データおよび、各種プログラムが保存されている。ストレージ装置１２に保存されているプログラムとして、編集プログラム、ドライブ確認プログラムおよびディスク確認プログラム、書込みプログラムおよびディスク容量プログラムを含んでいる。編集プログラムは、ユーザが編集用データを用いて編集済みデータを作成するプログラムである。ドライブおよびディスク確認プログラムは、サーバ１０がデータ端末２０にアクセスすることでデータ端末２０のディスクドライブ２４の仕様およびディスクドライブ２４に装填されているデータ保存用ディスク２５の種類を取得するプログラムである。書込みプログラムは、編集済みデータを複数の書込みデータ規格から選択して書込みデータに変換して、インターネットＩＮＴを介してデータ端末２０のディスクドライブ２４のデータ保存用ディスク２５に書き込むプログラムである。ディスク容量確認プログラムは、ブランクのデータ保存用ディスク２５が書込みデータを書き込める容量を超えているかについて確認するプログラムである。以下、オーサリング処理について、処理の順に説明する。
【００１４】
（２）  オーサリング処理
図２はオーサリング処理時にサーバ１０とデータ端末２０とのデータの送受信を説明する説明図である。まず、ステップＳ５２にて、データ端末２０がブラウザを起動して、サーバ１０のサイトにアクセスすると、サーバ１０は、ステップＳ１０２にてユーザの認証を確認する。このとき、上記アクセスが初めてでユーザの認証が得られないときには、ユーザ登録を案内し、登録により認証が得られたときに、オーサリング機能の利用が可能になる。続くステップＳ１０４にて、サーバ１０からオーサリング機能のための編集プログラムや編集用データがデータ端末２０に送られる。続くステップＳ５３にて、サーバ１０から送られた編集用プログラムおよび編集用データに基づいて、ユーザがデータ端末２０で編集用データの選択および編集を行う。
【００１５】
図３はデータ端末２０の表示装置２３に表示される編集画面を説明する説明図である。編集画面には、メニュー領域３１、プレゼン用ディスプレイ領域３２、編集用データ表示領域３３、選択データ領域３４、ストリーム領域３５が表示される。メニュー領域３１は、サーバ１０から送られるサービスを選択するための領域である。プレゼン用ディスプレイ領域３２は、作成された編集済みデータを表示するための領域である。編集用データ表示領域３３は、メニュー領域３１の項目をクリックすることにより編集用データを表示する領域である。選択データ領域３４は、編集用データ表示領域３３に表示されている編集用データをドラッグアンドドロップすることで選択されたデータを表示する領域である。選択データ領域３４には、ユーザ参照ファイルのコマンドを選択して、ユーザが使用する写真、音楽などのデータをユーザのストレージ装置から読み込み、これを選択データに加えることができる。ストリーム領域３５は、データを時間順に配置するための領域であり、ユーザにより、選択データ領域３４からデータを順次、それぞれの領域に配置することで、時間順に選択データを配置することができる。プレゼン用ディスプレイ領域３２は、ストリーム領域３５で作成された編集済みデータをプレゼンテーションするための領域である。
【００１６】
ユーザは、編集画面において、メニュー領域３１のメニュー項目を選択することで編集用データ表示領域３３に、サムネールで提示された編集用データを表示し、この編集用データを選択データ領域３４にドロップすることで適宜選択し、さらに、ユーザ参照ファイルを読み込むことで、ユーザのデータを選択データ領域３４に表示する。さらに、選択データ領域３４のデータを、ストリーム領域３５にドロップすることにより、時間系列に配置する。このように編集された編集済みデータは、プレゼン用ディスプレイ領域３２により予め確認のために表示することができる。編集済みデータは、送信コマンドを押すことで、図２のステップＳ５４に示すように、サーバ１０に送信され、ステップＳ１０６にてサーバ１０が編集済みデータを取得する。
【００１７】
続くステップＳ１０８にて、サーバ１０は、データ端末２０に対して通信することで（ステップＳ５６）、データ端末２０のディスクドライブ２４の情報を取得する。図４はドライブ情報の取得処理を説明するフローチャートである。すなわち、ステップＳ１２３にて、サーバ１０がＯＳのコマンド（INQUIRY)にアクセスすることによりドライブ情報を取得する。続くステップＳ１２４にて、サーバ１０がデータ端末２０のディスクドライブ２４が対応ドライブであるか否か、つまり、書込み可能なＣＤドライブ装置、ＤＶＤドライブ装置またはＢＤドライブ装置のいずれかであるかが判定される。そして、ステップＳ１２４の判定にて、ディスクドライブ２４が書込みに対応していない場合には、ステップＳ１２６にてその旨をデータ端末２０に送信して、本処理を終了し、一方、対応したディスクドライブ２４であると判定した場合には、図２のステップＳ１１０のデータ保存用ディスクの確認処理を実行する。
【００１８】
図５はデータ保存用ディスクの確認処理を説明するフローチャートである。図５のステップＳ１５２にて、ディスクドライブ２４にデータ保存用ディスク２５が挿入されているかを確認し、データ保存用ディスク２５が挿入されていると判定した場合には、ステップＳ１５４へ進む。ステップＳ１５４では、サーバ１０からデータ端末２０へアクセスすることでデータ保存用ディスク２５の情報を取得する。すなわち、サーバ１０は、データ端末２０に対して、データ端末２０のＯＳのコマンド（GET CONFIGURATION）にアクセスすることによりデータ保存用ディスク２５のプロフィール情報を取得する。すなわち、ＣＤドライブ装置であれば、ＣＤ−ＲＯＭ，ＣＤ−Ｒ，ＣＤ−ＲＷのいずれか、ＤＶＤドライブ装置であれば、ＤＶＤ−ＲＯＭ，ＤＶＤ−ＲＡＭ，ＤＶＤ−Ｒ、ＤＶＤ−Ｒ  ＤＬ，ＤＶＤ−ＲＷ，ＤＶＤ＋Ｒ，ＤＶＤ＋Ｒ  ＤＬ，ＤＶＤ＋ＲＷのいずれか、ＢＤドライブ装置であれば、ＢＤ−ＲＯＭ，ＢＤ−Ｒ，ＢＤ−Ｒ  ＤＬ，ＢＤ−ＲＥ，ＢＤ−ＲＥ  ＤＬのいずれであるかを示すデータを取得する。続くステップＳ１５６にて、データ保存用ディスク２５の情報に基づいて、データを書込み可能なディスクか否かを判定する。すなわち、データ保存用ディスク２５が追記可能か、書換え可能であるかについて判定する。ステップＳ１５６にて否定判定の場合には、ステップＳ１５８へ進み、書換え可能なデータ保存用ディスク２５の挿入を案内し、ステップＳ１５２に戻る。
【００１９】
続くステップＳ１６０にて、データ端末２０のＯＳのコマンド（READ STRUCTURE）にアクセスすることによりデータ保存用ディスク２５のフォーマット状態を取得する。そして、ステップＳ１６２にて、データ保存用ディスク２５がブランクか否かを判定し、ブランクでなかった場合には、ステップＳ１６４へ進み、さらに書換え可能なデータ保存用ディスク２５であるかについて判定し、書換え可能なデータ保存用ディスク２５でない場合には、ステップＳ１６６にて、データ保存用ディスク２５の交換の案内をした後に、ステップＳ１５２に戻る。一方、ステップＳ１６４にて、書換え可能なデータ保存用ディスク２５の場合には、ステップＳ１６８にて、データ保存用ディスク２５のフォーマットの案内をした後に、ステップＳ１７０にて、サーバ１０がデータ端末２０に対してフォーマットの判定を求める。そして、ステップＳ１７０にて、ユーザからフォーマットすることを望んでいない旨を受けた場合には、データ保存用ディスク２５のブランクディスクへの交換を案内した後に（ステップＳ１６６）、ステップＳ１５２に戻る。一方、ステップＳ１７０にて、フォーマットの実行が選択された場合には、ステップＳ１７２にてフォーマットを実行した後に、ステップＳ１７４へ進む。ステップＳ１７４にて、データ保存用ディスク２５の詳細情報を取得する。すなわち、データ端末２０のＯＳのコマンド（READ INFORMATION）にアクセスすることによりデータ保存用ディスク２５の詳細情報（ＩＤ）などを取得する。
【００２０】
図２に戻り、ステップＳ１１２にて、図５のディスク確認処理で求めた情報に基づいて、書込みデータ規格（オーサリング形式）を設定する。図６は書込みデータ規格の設定処理を説明するフローチャートである。図６のステップＳ１８２およびステップＳ１８４にて、図４のステップＳ１２３および図５のステップＳ１５４で求めたドライブ情報やディスクの情報、および編集済みデータの種類のファイル形式を参照する。そして、ステップＳ１８６にて、ディスクの種類について判定する。ディスクがＣＤであると判定された場合には、ステップＳ１９０へ進む。ステップＳ１９０にて、編集済みデータが音楽データだけの場合には、ステップＳ１９２に進み、書込みデータ規格を音楽データの規格に設定し、音楽データのほかにビデオファイルがある場合には、ステップＳ１９４にてビデオＣＤの規格に設定する。一方、ステップＳ１８６にてディスクがＤＶＤであると判定された場合には、ステップＳ１９６にて、ＤＶＤビデオの規格（標準画質）に設定する。さらに、ステップＳ１８６にてディスクがＢＤであると判定された場合には、ステップＳ１９８にてＢＤビデオの規格（フルＨＤ画質：解像度：１９２０×１０８０）に設定する。なお、実施形式によっては、ユーザの好みに合わせて、ブラウザの設定画面にて画質の変更を行うことも可能であり、また、解像度の低いものは、フルＨＤ画質にイメージをスケールアップした上で書き込んでもよい。
【００２１】
続いて、図２のステップＳ１１４にて、編集済みデータをステップＳ１１２で設定された書込みデータ規格によってデータ変換し、つまり音声や動画などを圧縮するエンコードなどのデータ変換することで書込みデータを作成する。このとき、必要に応じて広告となるデータを付加してもよい。
【００２２】
続くステップＳ１１６にて、ディスクの容量の確認を実行する。図７はディスク容量の確認処理を説明するフローチャートである。まず、ステップＳ２０２にて、データ保存用ディスク２５の容量を取得する。すなわち、データ端末２０のＯＳのコマンド（READ CAPACITY）にアクセスすることによりデータ保存用ディスク２５の容量を取得する。続くステップＳ２０４にて、ディスクの容量が図２のステップＳ１１４で作成した書込みファイルのデータ容量を超えておらず、その容量で十分であるか否かを判定する。すなわち、ブランクディスクのＤＶＤであっても、４．７ＧＢ、８．５ＧＢ、９．４ＧＢといった複数の容量が存在し、例えば、書込みデータの容量が６ＧＢで、ブランクディスクの容量が４．７ＧＢである場合に、ステップＳ２０６へ移行し、ブランクディスクの交換の案内をし、「もっと大きな容量のＤＶＤディスクを入れて下さい。」などのメッセージをデータ端末２０へ送り、その確認を求める（図２のステップＳ６０）。
【００２３】
そして、図２のステップＳ１１８にて、サーバ１０は、書込みデータをデータ端末２０に送信し、ステップＳ６２にて、データ端末２０のディスクドライブ２４のデータ保存用ディスク２５に書き込む。ステップＳ６４にて、データ端末２０から書込みが完了した旨がサーバ１０に送信され、ステップＳ１２０にて、書込みの完了が確認されると、ステップＳ１２２にて編集済みデータ、書込みデータ、ユーザのデータを削除し、個人データがサーバに残らないように処理することで、本処理を終了する。
【００２４】
（３）  実施例の作用・効果
上記実施例の構成により、上述した効果のほか、以下の効果を奏する。
（３）−１  サーバ１０は、データ端末２０にアクセスすることでデータ端末２０のディスクドライブ２４の仕様およびディスクドライブ２４に装填されているデータ保存用ディスク２５の種類を取得する。このようなデータを取得したサーバ１０は、データ端末２０へ送るデータを、データ端末２０のデータ保存用ディスク２５に、適切な書込み規格で書き込むことができる。したがって、データ端末２０を扱うユーザは、ディスクドライブ２４やディスクに関する特別の知識がなくても、サーバ１０から送られるデータを保存したデータ保存用ディスク２５を得ることができる。
【００２５】
（３）−２  データ端末２０を扱うユーザは、サーバ１０へアクセスすることにより、サーバ１０に保存されている編集用データおよび編集プログラムをダウンロードして、編集用データおよびデータ端末２０のデータに基づいて、編集済みデータを作成してサーバ１０に送る。サーバ１０は、データ端末２０にアクセスすることでデータ端末２０のディスクドライブ２４の仕様およびディスクドライブ２４に装填されているデータ保存用ディスク２５の種類を取得し、さらに、データ端末２０から受け取った編集済みデータに基づいて、書込みデータ規格を選択して書込みデータを作成し、データ端末２０のデータ保存用ディスク２５に書き込む。したがって、サーバ１０は、ディスクドライブ２４の仕様およびデータ保存用ディスク２５の種類に応じて、書込みデータ規格を選択して、書込みデータを作成してデータ保存用ディスク２５に書き込むから、データ端末２０側の作業者は、保存するための書込みデータ規格を選択する必要がなく、特別の知識なしに、編集したデータを適切な規格で保存したデータ保存用ディスク２５を得ることができる。
【００２６】
なお、この発明は上記実施例に限られるものではなく、その要旨を逸脱しない範囲において種々の態様において実施することが可能であり、例えば次のような変形も可能である。
上記実施例では、データ端末２０として、ディスクドライブ２４を接続したコンピュータについて説明したが、これに限らず、ディスクドライブを接続した機器であれば、インターネットに接続した各種の携帯の情報端末機にも適用することができる。
【００２７】
また、上記実施例では、サーバ１０からデータ端末２０に、図４のドライブ情報の取得および図５ディスクの確認処理の両方の処理を用いたオーサリング機能について説明したが、いずれか一方の処理を用いてデータ保存用ディスクへの書込み作業につき、ユーザを支援するシステムに用いてもよい。
【００２８】
さらに、上記実施例では、図２のステップＳ１１６、ステップＳ６０および図７のディスク容量の確認処理にて、書込みデータの容量がディスク容量を超えている場合に、ディスクの交換を求める処理について説明したが、これに限らず、書込みデータの容量を下げる処理で対応してもよい。すなわち、書込みデータの容量がディスク容量内に収まるように画質を低下させるデータ規格でオーサリング処理およびデータの変換処理を再度実行し、この処理で作成された書込みデータをデータ端末のデータ保存用ディスクに書き込む処理をとってもよい。この場合には、作業者によるディスク交換の手間を省くことができる。また、ディスク容量内に書込みデータを収めるための処理として、ディスクの交換と書込みデータ量を低減する処理のいずれを選択するかについて、作業者による初期設定などで適宜設定してもよく、例えば、図２のステップＳ５２、ステップＳ５４などでサーバ１０とアクセスするときや、ステップＳ６０でディスク容量を確認したときに、ディスクの交換か書込みデータ量を低減した処理のいずれを設定・選択するかを求める手段をとってもよい。
【符号の説明】
【００２９】
１０…サーバ
１２…ストレージ装置
２０…データ端末
２２…端末本体
２３…表示装置
２４…ディスクドライブ
２５…データ保存用ディスク
３１…メニュー領域
３２…プレゼン用ディスプレイ領域
３３…編集用データ表示領域
３４…選択データ領域
３５…ストリーム領域
ＩＮＴ…インターネット
【図１】
2012128711.tif 000003
【図２】
2012128711.tif 000004
【図３】
2012128711.tif 000005
【図４】
2012128711.tif 000006
【図５】
2012128711.tif 000007
【図６】
2012128711.tif 000008
【図７】
2012128711.tif 000009